(57)【要約】 【課題】  ホース収納水栓において、カウンターの下部でのホースと配管との干渉を防止し、ホースのホルダーからの引き出し及びホルダーへの支持を円滑に行なうようにする。【解決手段】  カウンター５０の取付孔５１に固定される水栓本体１と、この水栓本体１に装着されるホルダー２２に引き出し自在に支持されるシャワーヘッド２３と、前記水栓本体１の下部に結合される湯管１０、水管１１、及び湯水を供給する供給管２と、この供給管２と前記シャワーヘッド２３とを接続しカウンター５０の下部に垂れ下がるホース９とを備え、前記カウンター５０の下部で水栓本体１とホース９との間にはホース９が挿通するガイド部材３０が装着されたホース収納水栓Ａにおいて、前記ガイド部材Ａはホース９が挿通する貫通孔３７が形成されたホースガイド３６と、ホース９と湯管１０、ホース９と水管１１を仕切る仕切ガイド４０とを備えた。【選択図】  図４
2007303228.tif 000002
【特許請求の範囲】
【請求項１】
カウンターの取付孔に固定される水栓本体と、この水栓本体に装着されるホルダーに引き出し自在に支持されるシャワーヘッドと、前記水栓本体の下部に結合される湯管、水管、及び湯水を供給する供給管と、この供給管と前記シャワーヘッドとを接続しカウンターの下部に垂れ下がるホースとを備え、前記カウンターの下部で水栓本体とホースとの間にはホースが挿通するガイド部材が装着されたホース収納水栓において、前記ガイド部材はホースが挿通する貫通孔が形成されたホースガイドと、ホースと湯管、ホースと水管を仕切る仕切ガイドとを備えたことを特徴とするホース収納水栓。
【請求項２】
前記ガイド部材のホースガイドは貫通孔内周面には傾斜面が形成され、この傾斜面はホースが上部から下部に向かうにつれて供給管から遠ざかる方向へ向かうように形成されたことを特徴とする請求項１記載のホース収納水栓。
【請求項３】
前記ガイド部材の仕切ガイドはホースガイドより上部に形成され、ホースと湯管とを仕切る第１仕切ガイドと、ホースと水管とを仕切る第２仕切ガイドとを備えたことを特徴とする請求項１又は請求項２に記載のホース収納水栓。
【発明の詳細な説明】
【技術分野】
【０００１】
この発明は、流し台や洗面台のカウンターに固定して使用されるホース収納水栓に関するものである。
【背景技術】
【０００２】
流し台や洗面台で使用されるホース収納水栓において、水栓本体に装着されたホルダーに支持されるシャワーヘッドにはホースが接続されており、シャワーヘッドはホースと共にホルダーから引き出して使用することができる。このようなホース収納水栓は、ホースが流し台や洗面台のカウンターの下部で略Ｕ字状に垂れ下がった状態で収納されており、シャワーヘッドをホースと共にホルダーから引き出して使用する場合、又はホルダーから引き出されたシャワーヘッドをホルダーに支持する場合に、ホースはカウンターの下部で上下及び左右に激しく揺れ動き、カウンターの下部に配置されている備品に接触して、衝突音が発生する場合がある。このようなカウンター下部でのホースの無用な動きを抑える対策として、特許文献１のホース収納水栓では、水栓本体からカウンターの下方に突き出る部材に、ホースの揺れ回りを規制するガイドを備えている。  
【０００３】
この特許文献１のホース収納水栓について簡単に説明すると、流体の入口と出口とを備えた水栓の本体と、前記出口に連通するホースに接続され且つ前記本体とは別体としたシャワーヘッドとを備え、前記本体を設置する取付け部位に取付け口を設け、前記ホースを前記取付け口から下方に垂れ下がる配置とすると共に前記シャワーヘッドを前記本体から着脱自在とした水栓において、前記本体から前記取付け口を抜けて下方に突き出る部材に、前記ホースを差し通してその揺れ回りを規制するガイドを備えており、ガイドはホースの揺れ動きに対してこれを規制して揺れ回りを抑えることができるものである。
【０００４】
【特許文献１】特開平８−２１８４５５号公報
【発明の開示】
【発明が解決しようとする課題】
【０００５】
前記特許文献１のホース収納式水栓においては、カウンターの取付け口にはホース、給水管、給湯管、本体の内部に組み込まれた弁ユニットで調節された湯水をホースへ供給するための供給管が挿通するため、カウンターとガイドとの間では、ホース、給水管、給湯管、供給管とが互いに接近した状態となる。この状態からシャワーヘッドを水栓の本体から引き出したり、引き出されたシャワーヘッドを水栓の本体に支持すると、ホースと、給水管及び給湯管とはガイドとカウンターとの間で激しく衝突し、互いに傷が付きやすく長期間の使用により磨耗して孔があく恐れがあるうえ、ホースを円滑に摺動させることができなかった。
【０００６】
また、ホースはカウンターの下部の広い範囲で揺れ動くと、カウンターの下部に配置されている備品に接触する恐れがある。さらに、給水管、給湯管の下部には通常、給水用止水栓、給湯用止水栓が設けられているが、ホースはガイドからカウンター下部の床に向けて垂直方向に延びていると、ホースと止水栓とが接近し、ホースが止水栓に取り付けられている操作用のハンドルにからまってしまい、水栓本体からの引き出し又は水栓本体への支持を円滑に行なうことができなくなる恐れがあった。
【０００７】
この発明は、このような従来の技術に存在する問題点に着目してなされたものであり、その課題は、ホース収納水栓において、カウンターの下部でのホースと配管との干渉を防止し、ホースのホルダーからの引き出し及びホルダーへの支持を円滑に行なうようにすることである。
【課題を解決するための手段】
【０００８】
上記課題を達成するため、請求項１記載の発明では、カウンターの取付孔に固定される水栓本体と、この水栓本体に装着されるホルダーに引き出し自在に支持されるシャワーヘッドと、前記水栓本体の下部に結合される湯管、水管、及び湯水を供給する供給管と、この供給管と前記シャワーヘッドとを接続しカウンターの下部に垂れ下がるホースとを備え、前記カウンターの下部で水栓本体とホースとの間にはホースが挿通するガイド部材が装着されたホース収納水栓において、前記ガイド部材はホースが挿通する貫通孔が形成されたホースガイドと、ホースと湯管、ホースと水管を仕切る仕切ガイドとを備えたことを特徴とする。
【０００９】
請求項２に記載の発明では請求項１記載の発明において、前記ガイド部材のホースガイドは貫通孔内周面には傾斜面が形成され、この傾斜面はホースが上部から下部に向かうにつれて供給管から遠ざかる方向へ向かうように形成されたことを特徴とする。
【００１０】
請求項３に記載の発明では請求項１又は請求項２に記載の発明において、前記ガイド部材の仕切ガイドはホースガイドより上部に形成され、ホースと湯管とを仕切る第１仕切ガイドと、ホースと水管とを仕切る第２仕切ガイドとを備えたことを特徴とする。
【発明の効果】
【００１１】
請求項１に記載の発明によれば、カウンターの下部で垂れ下がるホースはホースガイドの貫通孔を挿通し、湯管と水管とはホースとの間を仕切ガイドにより仕切られており、ホースと湯管、水管とはガイド部材でホースガイド、仕切ガイドにより仕切られるので、ガイド部材の上下周辺でホースは湯管、水管と接触することがなく、シャワーヘッドのホルダーからの引き出し及びホルダーへの支持を円滑に行なうことができる。
【００１２】
請求項２に記載の発明によれば、請求項１に記載の効果に加えて、ホースガイドの貫通孔に挿通されるホースは、カウンターの下部で供給管から遠ざかる方向へ向かうように収納される。従って、ホース収納水栓はシャワーヘッドのホルダーからの引き出し時、又はシャワーヘッドのホルダーへの収容時にホースが左右又は前後へ揺れ動くことがあっても、その揺れ動く範囲は供給管からは遠く、しかも狭い範囲となり、供給管の近くに配置されている備品や止水栓等との接触を防止することができる。
【００１３】
請求項３に記載の発明によれば、請求項１又は請求項２に記載の効果に加えて、ホースと湯管、ホースと水管がホースガイドより上部で仕切ガイドにより仕切られ、ホース、湯管、水管が互いに接触することがなく、シャワーヘッドのホルダーからの引き出し及びホルダーへの収納を円滑に行なうことができる。
【発明を実施するための最良の形態】
【００１４】
以下、本発明を具体化した実施形態を図に基づいて詳細に説明する。
【実施例】
【００１５】
図１及び図２に示すように、本発明のホース収納水栓Ａは、水栓本体１の下部に供給管２を備え、この供給管２は水栓本体１の底面部３から下部に向けて垂直方向に垂下している。流し台又は洗面台のカウンター５０には環状の取付孔５１が穿設されており、前記供給管２を取付孔５１に対しカウンター５０の上部から挿通し、カウンター５０の下部から、カウンター５０の下面に密着する馬蹄形状の座金４、及び縦長円筒形状のスペーサ５を供給管２に外嵌し、供給管２の下端に形成された雄ねじ部２ａに対しバネ座６を介して固定部材７を螺着することで、ホース収納水栓Ａはその底面部３と座金４とによりカウンター５０を挟着し、カウンター５０から起立した状態で固定される。
【００１６】
図３に示すように、前記水栓本体１の下部には供給管２と並設して、給湯源から湯が供給される湯管１０、及び給水源から水が供給される水管１１を備え、湯管１０、水管１１の下部には止水栓１２，１２がそれぞれ設けられており、各止水栓１２，１２には流路開閉用のハンドル１３，１３が取り付けられている。
【００１７】
前記水栓本体１の内部には円盤型の固定板及び可動板を上下に重ね合わせた弁機構２０が収容されており、弁機構２０の下部には前記供給管２、湯管１０、水管１１が結合されている。図１に示すように、この弁機構２０はその上部が水栓本体１の上端に取り付けられたレバー２１と連繋し、レバー２１を上下又は左右に操作することで、弁機構２０により吐水流量又は吐水温度が調節された湯水は供給管２に供給される。この供給管２の下端にはスペーサ５及び固定部材７を介してカプラー８が装着され、カプラー８の他端にはホース９が接続されるものである。
【００１８】
前記ホース収納水栓Ａの供給管２と弁機構２０との間で水栓本体１の外周面には、ホルダー２２を水平方向に回転自在に備えており、このホルダー２２の出口側に形成された開口部２２ａには、前記ホース９の他端に結合されたシャワーヘッド２３が引き出し自在に支持され、シャワーヘッド２３はホルダー２２の開口部２２ａに支持された状態、又は必要に応じてホース９と共にホルダー２２の開口部２２ａから引き出して使用され、前記レバー２１を止水位置から吐水方向である上方向へ操作すれば、弁機構２０で調節された湯水をシャワーヘッド２３から吐水可能としている。
【００１９】
前記ホース９はホルダー２２及び水栓本体１の内部からカウンター５０の取付孔５１を挿通して、カウンター５０の下部に略Ｕ字状に垂れ下がった状態で収納されており、このホース９はシャワーヘッド２３をホルダー２２から引き出して広い範囲で湯水を吐水できる長さとし、その基端側は前記カプラー８に結合され、カプラー８は固定部材７及びスペーサ５を介して供給管２に接続されている。
【００２０】
前記水栓本体１とホース９との間で供給管２に外嵌されたスペーサ５には、ガイド部材３０が結合される。ガイド部材３０は、シャワーヘッド２３のホルダー２２からの引き出し時、又はシャワーヘッド２３をホルダー２２へ支持する場合に、カウンター５０下部でのホース９の前後又は左右への移動範囲を制限するためのものであり、スペーサ５の下部でスペーサ５より大径に形成された固定部材７との間に装着される。なお、スペーサは例えば供給管や固定部材に装着してもよい。
【００２１】
図４に示すように、前記ガイド部材３０は合成樹脂材により一体に形成されたものであり、前記スペーサ５に結合される取付部３１と、ホース９が挿通する貫通孔３７が形成されたホースガイド３６と、ホースガイド３６を挿通するホース９と前記湯管１０，水管１１とが互いに接触しないように仕切る仕切ガイド４０とを備えている。
【００２２】
前記取付部３１は略リング状で、スペーサ５に外嵌される取付孔３２が上下垂直方向に貫通して形成されている。図１及び図２に示すように、スペーサ５はその下部で供給管２に螺着される固定部材７より小径であり、この外径の相違によりスペーサ５と固定部材７との間には環状の段差部７ａが形成されるため、スペーサ５の外周面に対し取付部３１の取付孔３２を外嵌させれば、ガイド部材３０をスペーサ５から脱落しないように段差部７ａに支持させることができ、ガイド部材３０をスペーサ５に対し安定した状態で装着させることができる。
【００２３】
前記ホースガイド３６は取付部３１より下部で、取付部３１とは上下方向に偏心した位置に形成され、その下部は上部より大径に形成された略円錐形状であり、その内部に形成された貫通孔３７にホース９を上下傾斜方向に挿通させることができる。貫通孔３７の内周面には傾斜面３８が形成されており、この傾斜面３８は図１に示すように、ホース９が上部から下部に向かうにつれて供給管２及びスペーサ５から遠ざかる方向へ向かうように、上面側の上部開口孔３９より底面側の下部開口孔３９ａがスペーサ５より外側に位置するように開口している。従って、ホース９はカウンター５０の下部でホースガイド３６の貫通孔３７内を傾斜面３９に沿って傾斜方向に挿通し、下部に向かうほど供給管２から遠ざかる方向へ収納されるものである。
【００２４】
図４に示すように、前記仕切ガイド４０はホースガイドより上部で、略リング状の取付部３１から水平方向に延設して形成され、ホースガイド３６の貫通孔３７に挿通したホース９と湯管１０とが接触しないように仕切る第１仕切ガイド４０ａと、ホース９と水管１１とが接触しないように仕切る第２仕切ガイド４０ｂとを備え、また、取付部３１の左右両側で湯管１０と水管１１とをそれぞれ挿通させるものであり、その形状は、略円柱形である湯管１０、水管１１の外周面が広い範囲で密着するように、湾曲部４１，４１が形成されている。
【００２５】
前記ガイド部材３０は、ホース収納水栓Ａのカウンター５０への固定時に水栓本体１とホース９との間でスペーサ５の外周面に装着される。即ち、図１及び図２に示すように水栓本体１がカウンター５０の上部に配置された状態では、供給管２はカウンター５０の取付孔５１を挿通して垂下しており、カウンター５０の下部からスペーサ５を供給管２に外嵌し、次にスペーサ５の外周面に、ガイド部材３０に形成された取付部３１の取付孔３２を挿通させる。そして、バネ座６をスペーサ５の外周面に装着し、固定部材７を供給管２の下部に形成されている雄ねじ部２ａに螺着すれば、ガイド部材３０は取付部３１によりスペーサ５と固定部材７との間で段差部７ａに支持される。
【００２６】
この場合、ガイド部材３０はスペーサ５の外周面に取付部３１の貫通孔３２を挿通させることによりスペーサ５に装着されるが、単にガイド部材３０の１箇所のみをスペーサ５に支持させただけでは、ホース９のホルダー２２からの引き出し時又はホース９のホルダー２２への支持時にガイド部材３０は水平方向に回転してしまう。そこで、ガイド部材３０は取付部３１の両側に形成された仕切ガイド４０の第１仕切ガイド４０ａ，第２仕切ガイド４０ｂに対し湯管１０と水管１１とをそれぞれ摺接させることで、ガイド部材３０はスペーサ５に対し、取付部３１だけでなく２箇所の仕切ガイド４０ａ，４０ｂを加えた３箇所で支持された状態となり、回転することがない。
【００２７】
また、ホース９はホースガイド３６の貫通孔３７内を上下方向に挿通し、湯管１０はホース９との間を仕切ガイド４０の第１仕切ガイド４０ａにより仕切られており、水管１１はホース９との間を仕切ガイド４０の第２仕切ガイド４０ｂにより仕切られており、ホース９と湯管１０、水管１１とはガイド部材３０の上下でホースガイド３６、仕切ガイド４０により仕切られるので、ガイド部材３０の上下周辺でホース９は湯管１０、水管１１と接触することがなく、シャワーヘッド２３のホルダー２２からの引き出し及び支持を円滑に行なうことができる。
【００２８】
さらに、図５及び図６に示すようにガイド部材３０のホースガイド３６は湯管１０，水管１１に対して前面側に配置され、ホースガイド３６の貫通孔３７に挿通されるホース９は、傾斜面３８に沿って上部から下部に向かうにつれてスペーサ５から遠ざかる方向へ向かい、カウンター５０の下部に配置されている止水栓１２から前方へ遠ざかる方向に配置される。従って、ホース収納水栓Ａはシャワーヘッド２３のホルダー２２からの引き出し時、又はシャワーヘッド２３のホルダー２２への支持時にホース９が左右又は前後へ揺れ動くことがあっても、その揺れ動く範囲は極めて狭くなり、止水栓１２又はその他、カウンター５０の下部に収容されている備品とホース９とが接近して配置されていても、ホース９が衝突することがなく、円滑に引き出し及び支持を行なうことができる。
【図面の簡単な説明】
【００２９】
【図１】本発明のシャワー収納水栓の部分側断面図である。
【図２】シャワー収納水栓にガイド部材を装着する場合の説明図である。
【図３】シャワー収納水栓の正面図である。
【図４】ガイド部材の斜視図である。
【図５】シャワー収納水栓の側面図である。
【図６】シャワー収納水栓の斜視図である。
【符号の説明】
【００３０】
１    ：  水栓本体
２    ：  供給管
９    ：  ホース
１０  ：  湯管
１１  ：  水管
２２  ：  ホルダー
２３  ：  シャワーヘッド
３０  ：  ガイド部材
３６  ：  ホースガイド
３７  ：  貫通孔
４０  ：  仕切ガイド
５０  ：  カウンター
５１  ：  取付孔
Ａ    ：  ホース収納水栓
【図１】
2007303228.tif 000003
【図２】
2007303228.tif 000004
【図３】
2007303228.tif 000005
【図４】
2007303228.tif 000006
【図５】
2007303228.tif 000007
【図６】
2007303228.tif 000008